(57)【要約】【課題】ふろ循環回路の内部において浴槽水の循環があることを短時間で判定することができる給湯装置を提供する。【解決手段】給湯装置は、浴槽と熱交換器とを接続するふろ循環回路と、ふろ循環回路の内部で浴槽水を循環させるふろ循環ポンプと、ふろ循環回路の内部の圧力を検出する圧力センサと、浴槽への給湯時の流量を検出する流量センサと、流量センサの検出値と予め設定された第１流量値との比較に基づいてふろ循環回路の内部における浴槽水の循環有無の予備判定を実施し、予備判定において浴槽水の循環がないと判定された場合は、ふろ循環ポンプを動作させて圧力センサの検出値に基づいてふろ循環回路の内部における浴槽水の循環有無の本判定を実施し、予備判定において浴槽水の循環があると判定された場合は、本判定を実施しない制御部と、を備えた。【選択図】図１
2020091061.tif 000002
【特許請求の範囲】
【請求項１】
浴槽と熱交換器とを接続するふろ循環回路と、
前記ふろ循環回路の内部で浴槽水を循環させるふろ循環ポンプと、
前記ふろ循環回路の内部の圧力を検出する圧力センサと、
前記浴槽への給湯時の流量を検出する流量センサと、
前記流量センサの検出値と予め設定された第１流量値との比較に基づいて前記ふろ循環回路の内部における浴槽水の循環有無の予備判定を実施し、
前記予備判定において浴槽水の循環がないと判定された場合は、前記ふろ循環ポンプを動作させて前記圧力センサの検出値に基づいて前記ふろ循環回路の内部における浴槽水の循環有無の本判定を実施し、
前記予備判定において浴槽水の循環があると判定された場合は、前記本判定を実施しない制御部と、
を備えた給湯装置。
【請求項２】
前記ふろ循環回路は、ふろ往き配管とふろ戻り配管とを備え、
前記制御部は、前記予備判定において、前記浴槽への給湯時の前記流量センサの検出値が前記第１流量値より小さい予め設定された第２流量値未満である場合は、前記ふろ往き配管と前記ふろ戻り配管との閉塞により浴槽水の循環がないと判定する、
請求項１に記載の給湯装置。
【請求項３】
前記ふろ循環回路は、ふろ往き配管とふろ戻り配管とを備え、
前記制御部は、前記予備判定において、前記浴槽への給湯時の前記流量センサの検出値が前記第１流量値未満かつ予め設定された第２流量値以上の場合に、前記ふろ往き配管と前記ふろ戻り配管とのうちの少なくとも一方の閉塞により浴槽水の循環がないと判定する、
請求項１に記載の給湯装置。
【請求項４】
浴槽と熱交換器とを接続するふろ循環回路と、
前記ふろ循環回路の内部で浴槽水を循環させるふろ循環ポンプと、
前記ふろ循環回路の内部の圧力を検出する圧力センサと、
前記ふろ循環回路の内部に流れる浴槽水の温度を検出する温度センサと、
前記ふろ循環ポンプを動作させたときの前記温度センサの検出値と予め設定された第１温度値との比較に基づいて前記ふろ循環回路の内部における浴槽水の循環有無の予備判定を実施し、
前記予備判定において浴槽水の循環がないと判定された場合は、前記ふろ循環ポンプを動作させて前記圧力センサの検出値に基づいて前記ふろ循環回路の内部における浴槽水の循環の有無の本判定を実施し、
前記予備判定において浴槽水の循環があると判定された場合は、前記本判定を実施しない制御部と、
を備えた給湯装置。
【請求項５】
熱交換器から浴槽の内部へ導入される湯水が通るふろ往き配管と、
前記浴槽の内部から前記熱交換器へ導出される湯水が通るふろ戻り配管と、
前記ふろ往き配管の内部および前記ふろ戻り配管の内部で浴槽水を循環させるふろ循環ポンプと、
前記ふろ往き配管または前記ふろ戻り配管の内部の圧力を検出する圧力センサと、
前記ふろ往き配管の内部に流れる浴槽水の温度を検出するふろ往き温度センサと、
前記ふろ戻り配管の内部に流れる浴槽水の温度を検出するふろ戻り温度センサと、
前記ふろ循環ポンプを動作させたときの前記ふろ往き温度センサの検出値と前記ふろ戻り温度センサの検出値との差と予め設定された第１温度値との比較に基づいて前記ふろ往き配管の内部および前記ふろ戻り配管の内部における浴槽水の循環有無の予備判定を実施し、
前記予備判定において浴槽水の循環がないと判定された場合は、前記ふろ循環ポンプを動作させて前記圧力センサの検出値に基づいて前記ふろ往き配管の内部および前記ふろ戻り配管の内部における浴槽水の循環有無の本判定を実施し、
前記予備判定において浴槽水の循環があると判定された場合は、前記本判定を実施しない制御部と、
を備えた給湯装置。
【請求項６】
前記制御部は、前記予備判定において前記ふろ往き温度センサの検出値と前記ふろ戻り温度センサの検出値との差が前記第１温度値よりも小さい予め設定された第２温度値以下である場合は、前記ふろ往き配管の一部または前記ふろ戻り配管の一部の完全な閉塞により浴槽水の循環がないと判定する、
請求項５に記載の給湯装置。
【請求項７】
浴槽と熱交換器とを接続するふろ循環回路と、
前記ふろ循環回路の内部で浴槽水を循環させるふろ循環ポンプと、
前記ふろ循環回路の内部の圧力を検出する圧力センサと、
前記ふろ循環ポンプの回転数を検出する回転数センサと、
前記回転数センサの検出値と予め設定された第１回転数との比較に基づいて前記ふろ循環回路における浴槽水の循環有無の予備判定を実施し、
前記予備判定において浴槽水の循環がないと判定された場合は、前記ふろ循環ポンプを動作させて前記圧力センサの検出値に基づいて前記ふろ循環回路の内部における浴槽水の循環有無の本判定を実施し、
前記予備判定の結果において浴槽水の循環があると判定された場合は、前記本判定を実施しない制御部と、
を備えた給湯装置。
【請求項８】
前記制御部は、前記予備判定において前記回転数センサの検出値が前記第１回転数以上である場合は、前記浴槽の内部に水がないことにより浴槽水の循環がないと判定する、
請求項７に記載の給湯装置。
【請求項９】
熱交換器から浴槽の内部へ導入される湯水が通るふろ往き配管と、
前記浴槽の内部から前記熱交換器へ導出される湯水が通るふろ戻り配管と、
前記ふろ往き配管の内部および前記ふろ戻り配管の内部で浴槽水を循環させるふろ循環ポンプと、
前記ふろ往き配管または前記ふろ戻り配管の内部の圧力を検出する圧力センサと、
前記浴槽への給湯時の流量を検出する流量センサと、
前記ふろ往き配管の内部に流れる浴槽水の温度を検出するふろ往き温度センサと、
前記ふろ戻り配管の内部に流れる浴槽水の温度を検出するふろ戻り温度センサと、
前記ふろ循環ポンプの回転数を検出する回転数センサと、
前記流量センサの検出値と予め設定された第１流量値との比較に基づいて前記ふろ往き配管の内部および前記ふろ戻り配管の内部における浴槽水の循環有無を判定する第１予備判定と、
前記ふろ循環ポンプを動作させたときの前記ふろ往き温度センサの検出値と前記ふろ戻り温度センサの検出値との差と予め設定された第１温度値との比較に基づいて前記ふろ往き配管の内部および前記ふろ戻り配管の内部における浴槽水の循環有無を判定する第２予備判定と、
前記回転数センサの検出値と予め設定された第１回転数との比較に基づいて前記ふろ往き配管の内部および前記ふろ戻り配管の内部における浴槽水の循環有無を判定する第３予備判定と、
が設定され、
ふろ給湯を行う機能を実施する際は前記第１予備判定を実施し、前記熱交換器を用いた熱交換を行う機能を実施する際は前記第２予備判定を実施し、前記浴槽の内部の水の有無を確認する機能を実施する際は前記第３予備判定を実施し、
前記第１予備判定と前記第２予備判定と前記第３予備判定とのうちの実施された予備判定において浴槽水の循環がないと判定された場合は、前記ふろ循環ポンプを動作させて前記圧力センサの検出値に基づいて前記ふろ往き配管の内部および前記ふろ戻り配管の内部における浴槽水の循環有無の本判定を実施し、
前記第１予備判定と前記第２予備判定と前記第３予備判定とのうちの実施された予備判定において浴槽水の循環があると判定された場合は、前記本判定を実施しない制御部と、
を備えた給湯装置。
【請求項１０】
予備判定の結果を示す情報を外部に報知する報知部、
を備えた請求項１から請求項９のいずれか一項に記載の給湯装置。
【発明の詳細な説明】
【技術分野】
【０００１】
この発明は、給湯装置に関する。
【背景技術】
【０００２】
特許文献１は、給湯装置を開示する。当該給湯装置は、圧力センサによってふろ循環回路の内部の循環流量を検出する。
【先行技術文献】
【特許文献】
【０００３】
【特許文献１】特開２０１２−１８０９７２号公報
【発明の概要】
【発明が解決しようとする課題】
【０００４】
しかしながら、特許文献１に記載の給湯装置においては、ふろ循環ポンプを一定時間駆動させてから循環回路の内部の循環流量を検出する。このため、ふろ循環回路の内部において浴槽水の循環があることを判定するために時間がかかる。
【０００５】
この発明は、上述の課題を解決するためになされた。この発明の目的は、ふろ循環回路の内部において浴槽水の循環があることを短時間で判定することができる給湯装置を提供することである。
【課題を解決するための手段】
【０００６】
この発明に係る給湯装置は、浴槽と熱交換器とを接続するふろ循環回路と、ふろ循環回路の内部で浴槽水を循環させるふろ循環ポンプと、ふろ循環回路の内部の圧力を検出する圧力センサと、浴槽への給湯時の流量を検出する流量センサと、流量センサの検出値と予め設定された第１流量値との比較に基づいてふろ循環回路の内部における浴槽水の循環有無の予備判定を実施し、予備判定において浴槽水の循環がないと判定された場合は、ふろ循環ポンプを動作させて圧力センサの検出値に基づいてふろ循環回路の内部における浴槽水の循環有無の本判定を実施し、予備判定において浴槽水の循環があると判定された場合は、本判定を実施しない制御部と、を備えた。
【０００７】
この発明に係る給湯装置は、浴槽と熱交換器とを接続するふろ循環回路と、ふろ循環回路の内部で浴槽水を循環させるふろ循環ポンプと、ふろ循環回路の内部の圧力を検出する圧力センサと、ふろ循環回路の内部に流れる浴槽水の温度を検出する温度センサと、ふろ循環ポンプを動作させたときの温度センサの検出値と予め設定された第１温度値との比較に基づいてふろ循環回路の内部における浴槽水の循環有無の予備判定を実施し、予備判定において浴槽水の循環がないと判定された場合は、ふろ循環ポンプを動作させて圧力センサの検出値に基づいてふろ循環回路の内部における浴槽水の循環の有無の本判定を実施し、予備判定において浴槽水の循環があると判定された場合は、本判定を実施しない制御部と、を備えた。
【０００８】
この発明に係る給湯装置は、熱交換器から浴槽の内部へ導入される湯水が通るふろ往き配管と浴槽の内部から熱交換器へ導出される湯水が通るふろ戻り配管と、ふろ往き配管の内部およびふろ戻り配管の内部で浴槽水を循環させるふろ循環ポンプと、ふろ往き配管またはふろ戻り配管の内部の圧力を検出する圧力センサと、ふろ往き配管の内部に流れる浴槽水の温度を検出するふろ往き温度センサと、ふろ戻り配管の内部に流れる浴槽水の温度を検出するふろ戻り温度センサと、ふろ循環ポンプを動作させたときのふろ往き温度センサの検出値とふろ戻り温度センサの検出値との差と予め設定された第１温度値との比較に基づいてふろ往き配管の内部およびふろ戻り配管の内部における浴槽水の循環有無の予備判定を実施し、予備判定において浴槽水の循環がないと判定された場合は、ふろ循環ポンプを動作させて圧力センサの検出値に基づいてふろ往き配管の内部およびふろ戻り配管の内部における浴槽水の循環有無の本判定を実施し、予備判定において浴槽水の循環があると判定された場合は、本判定を実施しない制御部と、を備えた。
【０００９】
この発明に係る給湯装置は、浴槽と熱交換器とを接続するふろ循環回路と、ふろ循環回路の内部で浴槽水を循環させるふろ循環ポンプと、ふろ循環回路の内部の圧力を検出する圧力センサと、ふろ循環ポンプの回転数を検出する回転数センサと、回転数センサの検出値と予め設定された第１回転数との比較に基づいてふろ循環回路における浴槽水の循環有無の予備判定を実施し、予備判定において浴槽水の循環がないと判定された場合は、ふろ循環ポンプを動作させて圧力センサの検出値に基づいてふろ循環回路の内部における浴槽水の循環有無の本判定を実施し、予備判定の結果において浴槽水の循環があると判定された場合は、本判定を実施しない制御部と、を備えた。
【００１０】
この発明に係る給湯装置は、熱交換器から浴槽の内部へ導入される湯水が通るふろ往き配管と、浴槽の内部から熱交換器へ導出される湯水が通るふろ戻り配管と、ふろ往き配管の内部およびふろ戻り配管の内部で浴槽水を循環させるふろ循環ポンプと、ふろ往き配管またはふろ戻り配管の内部の圧力を検出する圧力センサと、浴槽への給湯時の流量を検出する流量センサと、ふろ往き配管の内部に流れる浴槽水の温度を検出するふろ往き温度センサと、ふろ戻り配管の内部に流れる浴槽水の温度を検出するふろ戻り温度センサと、ふろ循環ポンプの回転数を検出する回転数センサと、流量センサの検出値と予め設定された第１流量値との比較に基づいてふろ往き配管の内部およびふろ戻り配管の内部における浴槽水の循環有無を判定する第１予備判定と、ふろ循環ポンプを動作させたときのふろ往き温度センサの検出値とふろ戻り温度センサの検出値との差と予め設定された第１温度値との比較に基づいてふろ往き配管の内部およびふろ戻り配管の内部における浴槽水の循環有無を判定する第２予備判定と、回転数センサの検出値と予め設定された第１回転数との比較に基づいてふろ往き配管の内部およびふろ戻り配管の内部における浴槽水の循環有無を判定する第３予備判定と、が設定され、ふろ給湯を行う機能を実施する際は第１予備判定を実施し、熱交換器を用いた熱交換を行う機能を実施する際は第２予備判定を実施し、浴槽の内部の水の有無を確認する機能を実施する際は第３予備判定を実施し、第１予備判定と第２予備判定と第３予備判定とのうちの実施された予備判定において浴槽水の循環がないと判定された場合は、ふろ循環ポンプを動作させて圧力センサの検出値に基づいてふろ往き配管の内部およびふろ戻り配管の内部における浴槽水の循環有無の本判定を実施し、第１予備判定と第２予備判定と第３予備判定とのうちの実施された予備判定において浴槽水の循環があると判定された場合は、本判定を実施しない制御部と、を備えた。
【発明の効果】
【００１１】
これらの発明によれば、ふろ循環回路の内部において浴槽水の循環があることを短時間で判定することができる。
【図面の簡単な説明】
【００１２】
【図１】実施の形態１における給湯装置の構成図である。
【図２】実施の形態１における給湯装置のふろ循環回路の図である。
【図３】実施の形態１における給湯装置の制御部の動作の第１例を説明するためのフローチャートである。
【図４】実施の形態１における給湯装置の制御部の動作の第２例を説明するためのフローチャートである。
【図５】実施の形態１における給湯装置の制御部の動作の第３例を説明するためのフローチャートである。
【発明を実施するための形態】
【００１３】
この発明を実施するための形態について添付の図面に従って説明する。なお、各図中、同一または相当する部分には同一の符号が付される。当該部分の重複説明は適宜に簡略化ないし省略される。
【００１４】
実施の形態１．
図１は実施の形態１における給湯装置の構成図である。図１の給湯装置３５は、浴槽３０などに湯水を供給する装置である。図１の給湯装置３５は、タンクユニット３３とヒートポンプユニット７とリモコン４４とを備える。
【００１５】
タンクユニット３３は、貯湯タンク８とふろ用熱交換器２０と熱源ポンプ１２とふろ循環ポンプ２９とふろ往き温度センサ３７とふろ戻り温度センサ３８と圧力センサ４６と三方弁１１と四方弁１８と減圧弁３１と給湯用混合弁２２とふろ用混合弁２３とふろ用電磁弁２６と給湯用流量センサ４５とを備える。
【００１６】
貯湯タンク８は、上下部で温度差が生じるように湯水を貯湯する。具体的には、貯湯タンク８は、上層側に高温の水を貯留する。貯湯タンク８は、下流側に低温の水を貯留する。
【００１７】
貯湯タンク８は、水導入口８ａと水導出口８ｂと温水導入口８ｃと温水導出口８ｄと複数の貯湯温度センサ４２、４３とを備える。水導入口８ａは、貯湯タンク８の下部に設けられる。水導出口８ｂは、貯湯タンク８の下部に設けられる。温水導入口８ｃは、貯湯タンク８の中央部よりも下方で貯湯タンク８の下部よりも上方に設けられる。温水導出口８ｄは、貯湯タンク８の上部に設けられる。複数の貯湯温度センサ４２、４３は、貯湯タンク８の表面に高さを変えて取り付けられる。
【００１８】
ふろ用熱交換器２０は、貯湯タンク８およびヒートポンプユニット７から供給される高温の湯と二次側の加熱対象水（浴槽水、暖房用水など）との間で熱交換を行う。例えば、ふろ用熱交換器２０の２次側は、ふろ循環回路である。ふろ循環回路は、浴槽３０の内部の浴槽水が循環し得るように設けられる。具体的には、ふろ循環回路は、ふろ往き配管２７とふろ戻り配管２８とからなる。ふろ往き配管２７は、ふろ用熱交換器２０と浴槽３０とを接続する。ふろ戻り配管２８は、浴槽３０とふろ用熱交換器２０とを接続する。
【００１９】
熱源ポンプ１２は、各種配管に湯水を循環させる。ふろ循環ポンプ２９は、ふろ戻り配管２８に設けられる。ふろ循環ポンプ２９は、ふろ循環回路の内部で浴槽水を循環させる。ふろ循環ポンプ２９は、回転数を検出する回転数センサを有する。ふろ往き温度センサ３７は、ふろ往き配管２７に設けられる。ふろ往き温度センサ３７は、ふろ用熱交換器２０から導出された熱交換後の浴槽水の温度を検出する。ふろ戻り温度センサ３８は、ふろ戻り配管２８に設けられる。ふろ戻り温度センサ３８は、浴槽３０から導出された浴槽水の温度を検出する。圧力センサ４６は、ふろ戻り配管２８に設けられる。圧力センサ４６は、浴槽３０の水位を水頭圧から検出する。
【００２０】
三方弁１１は、ａポートとｂポートとｃポートとを有する。三方弁１１は、ａポートとｃポートとをつなぐ流路、ｂポートとｃポートとをつなぐ流路の間で流路を切り替え得るように設けられる。四方弁１８は、ａポートとｂポートとｃポートとｄポートとを有する。四方弁１８は、ａポートとｂポートとをつなぐ流路、ａポートとｃポートとをつなぐ流路、ｂポートとｄポートとをつなぐ流路、ｃポートとｄポートとをつなぐ流路間で流路を切り替え得るように設けられる。
【００２１】
減圧弁３１は、水道等の水源から供給される水を調圧する。給湯用混合弁２２およびふろ用混合弁２３は、貯湯タンク８から供給される高温の湯と水道等の水源側から供給される低温の水とを流量比を調整して混合し、設定温度の湯を生成する。ふろ用電磁弁２６は、ふろ往き配管２７およびふろ戻り配管２８の接続点とふろ用混合弁２３との間に設けられる。ふろ用電磁弁２６は、ふろ用混合弁２３から導出された湯が流れる配管を開閉する。給湯用流量センサ４５は、ふろ用混合弁２３とふろ用電磁弁２６との間に設けられる。給湯用流量センサ４５は、ふろ用混合弁２３から導出された湯の流量を検出する。
【００２２】
第１給水配管９ａの一端は、水道等の水源に接続される。第１給水配管９ａの他端は、減圧弁３１に接続される。第２給水配管９ｂの一端は、減圧弁３１に接続される。第２給水配管９ｂの他端は、給湯用混合弁２２およびふろ用混合弁２３のそれぞれの入口側の一端に接続される。第３給水配管９ｃの一端は、減圧弁３１に接続される。第３給水配管９ｃの他端は、水導入口８ａに接続される。第１給水配管９ａと第２給水配管９ｂと第３給水配管９ｃとは、給水管路を構成する。
【００２３】
給湯配管２１の一端は、温水導出口８ｄに接続される。給湯配管２１の他側は、給湯用混合弁２２およびふろ用混合弁２３のそれぞれの入口側の他端に接続される。第１給湯配管２４の一端は、給湯用混合弁２２の出口側に接続される。第１給湯配管２４の他端は、給湯栓３４に接続される。第２給湯配管２５の一端は、ふろ用混合弁２３の出口側に接続される。第２給湯配管２５の他端は、ふろ往き配管２７およびふろ戻り配管２８の接続点に接続される。
【００２４】
ＨＰ往き配管１４の一端は、三方弁１１のｃポートに接続される。ＨＰ往き配管１４の他端は、ヒートポンプユニット７の入口側に接続される。ＨＰ戻り配管１５の一端は、ヒートポンプユニット７の出口側に接続される。ＨＰ戻り配管１５の他端は、四方弁１８のｃポートに接続される。
【００２５】
水導出口配管１０の一端は、水導出口８ｂに接続される。水導出口配管１０の他端は、三方弁１１のａポートに接続される。送湯配管１３の一端は、四方弁１８のｄポートに接続される。送湯配管１３の他端は、温水導出口８ｄに接続される。温水導入配管２０ａの一端は、送湯配管１３の途中から分岐する。温水導入配管２０ａの他端は、ふろ用熱交換器２０の１次側入口に接続される。温水導出口配管２０ｂの一端は、ふろ用熱交換器２０の１次側出口に接続される。温水導出口配管２０ｂの他端は、三方弁１１のｂポートに接続される。第１バイパス配管１６の一端は、四方弁１８のａポートに接続される。第１バイパス配管１６の他端は、温水導入口８ｃに接続される。第２バイパス配管１７の一端は、熱源ポンプ１２とヒートポンプユニット７の入口側との間においてＨＰ往き配管１４の途中に接続される。第２バイパス配管１７の他端は、四方弁１８のｂポートに接続される。
【００２６】
ヒートポンプユニット７は、ＨＰ往き配管１４およびＨＰ戻り配管１５と図示されない電気配線を介してタンクユニット３３に接続される。ヒートポンプユニット７は、貯湯タンク８から導出された低温の水を加熱するように設けられる。具体的には、ヒートポンプユニット７は、圧縮機１と水冷媒熱交換器３と膨張弁４と空気熱交換器６とを備える。ヒートポンプユニット７において、冷媒配管５は、圧縮機１と水冷媒熱交換器３と膨張弁４と空気熱交換器６とを環状に接続する。その結果、ヒートポンプサイクルが構成される。水冷媒熱交換器３は、冷媒配管５を流れる冷媒とタンクユニット３３から導出された低温の水との間で熱交換を行う。
【００２７】
リモコン４４は、図示されない表示部、操作部、スピーカ、マイク等を搭載する。例えば、表示部は、給湯装置３５の状態等の情報を表示する。例えば、操作部は、スイッチ等である。例えば、操作部は、使用者による設定値変更の操作を受け付ける。
【００２８】
制御部３６は、タンクユニット３３に設けられる。制御部３６は、ヒートポンプユニット７およびタンクユニット３３と電気的に接続される。制御部３６は、リモコン４４と相互通信可能に接続される。制御部３６は、ヒートポンプユニット７およびタンクユニット３３が備える弁類、ふろ循環ポンプなどを制御する。
【００２９】
三方弁１１は、水導出口配管１０とＨＰ往き配管１４とが連通する形態、温水導出口配管２０ｂとＨＰ往き配管１４とが連通する形態、の２つの流路形態をとることで、タンクユニット３３の内部において湯水の流路を切り替える。四方弁１８は、ＨＰ戻り配管１５と送湯配管１３とが連通する形態、ＨＰ戻り配管１５と第１バイパス配管１６とが連通する形態、第１バイパス配管１６と第２バイパス配管１７とが連通する形態、送湯配管１３と第２バイパス配管１７とが連通する形態、の４つの流路形態をとることで、タンクユニット３３の内部において湯水の流路を切り替える。
【００３０】
第３給水配管９ｃを通過した湯水（低温の水）は、貯湯タンク８の水導入口８ａから流入する。ヒートポンプユニット７を用いて加熱された湯水（高温の水）は、貯湯タンク８の温水導出口８ｄから流入する。その結果、貯湯タンク８の上下部で温度差が生じるように湯水が貯留される。
【００３１】
給湯用混合弁２２およびふろ用混合弁２３は、給湯配管２１を通過した湯水（高温の水）と、第２給水配管９ｂから供給される湯水（低温の水）との流量比を調整することにより、使用者がリモコン４４で設定した設定温度の湯水を生成し、第１給湯配管２４および第２給湯配管２５にそれぞれ流入させる。給湯用混合弁２２で温度調整された湯は、第１給湯配管２４から給湯栓３４を経由して使用者が使用するシャワー、カランなどの図示されない蛇口に供給される。一方、ふろ用混合弁２３で設定温度に調整された湯は、第２給湯配管２５からふろ用電磁弁２６、ふろ給湯用流量センサ４５、ふろ往き配管２７、ふろ戻り配管２８を経由して浴槽３０に供給される。
【００３２】
貯湯温度センサ４２、４３は、貯湯タンク８内の湯水の温度分布を検出する。制御部３６は、貯湯温度センサ４２、４３の検出結果に基づいて貯湯タンク８の内部の残湯量を把握する。制御部３６は、貯湯タンク８の内部の残湯量に基づいてヒートポンプユニット７による貯湯タンク８の内部の湯水の沸上運転の開始、停止などを制御する。
【００３３】
図２は実施の形態１における給湯装置のふろ循環回路の図である。図中の矢印は、浴槽水の循環時の湯水の流れを示す。図中の×印は、配管の閉塞などを示す。
【００３４】
制御部３６は、給湯用流量センサ４５の検出値、ふろ往き温度センサ３７の検出値とふろ戻り温度センサ３８の検出値との差、ふろ循環ポンプ２９の回転数センサの検出値に基づいてふろ循環回路の内部における浴槽水の循環有無を検出する予備判定を実施する。予備判定において、浴槽水の循環がないと判定された場合、制御部３６は、ふろ循環ポンプ２９の駆動前後の圧力センサ４６の検出値に基づいて浴槽水の循環有無を検出する本判定を実施する。浴槽水の循環があると判定された場合、制御部３６は、本判定を実施しない。
【００３５】
制御部３６は、給湯装置３５の動作状況に応じて第１予備判定と第２予備判定と第３予備判定との中から選択された予備判定を実施する。第１予備判定は、給湯用流量センサ４５の検出値に基づいた判定である。第２予備判定は、ふろ往き温度センサ３７の検出値とふろ戻り温度センサ３８の検出値との差に基づいた判定である。第３予備判定は、ふろ循環ポンプ２９の回転数センサの検出値に基づいた判定である。
【００３６】
図３は実施の形態１における給湯装置の制御部の動作の第１例を説明するためのフローチャートである。図３は第１予備判定が実施される際のフローチャートである。ステップＳ１では、制御部３６は、給湯用流量センサ４５から浴槽３０への湯はり時の給湯流量Ｑを検出する。その後、制御部３６は、ステップＳ２の動作を行う。ステップＳ２では、制御部３６は、給湯流量Ｑが第１流量値Ｑ１以上であるか否かを判定する。第１流量値Ｑ１は、予め設定される。例えば、ふろ往き配管２７およびふろ戻り配管２８に詰まりがなく、ふろ往き配管２７およびふろ戻り配管２８がいずれも閉塞していない場合の給湯流量が１０Ｌ／ｍｉｎである場合、第１流量値Ｑ１は、１０Ｌ／ｍｉｎに設定される。
【００３７】
ステップＳ２で給湯流量Ｑが第１流量値Ｑ１以上である場合、制御部３６は、ふろ往き配管２７およびふろ戻り配管２８がいずれも閉塞していないと判定する。その後、制御部３６は、動作を終了する。ステップＳ２で給湯流量Ｑが第１流量値Ｑ１未満である場合、制御部３６は、ふろ往き配管２７とふろ戻り配管２８のうちの少なくとも一方に詰まりが発生し、ふろ往き配管２７とふろ戻り配管２８のうちの少なくとも一方が閉塞していると判定する。
【００３８】
その後、制御部３６は、ステップＳ３の動作を行う。ステップＳ３では、制御部３６は、給湯流量Ｑが第２流量値Ｑ２以上であるか否かを判定する。第２流量値は、予め設定される。第２流量値Ｑ２は、ふろ往き配管２７およびふろ戻り配管２８の両方に詰まりが発生しており、ふろ往き配管２７およびふろ戻り配管２８の両方が閉塞している場合に配管の内部における湯水の流量が極端に低下することを考慮して第１流量値Ｑ１よりも小さい値に設定される。例えば、ふろ往き配管２７およびふろ戻り配管２８の両方が閉塞している場合の給湯流量が６Ｌ／ｍｉｎである場合、第２流量値Ｑ２は、６Ｌ／ｍｉｎに設定される。
【００３９】
ステップＳ３で給湯流量Ｑが第２流量値Ｑ２以上である場合、制御部３６は、ステップＳ４の動作を行う。ステップＳ４では、制御部３６は、ふろ往き配管２７またはふろ戻り配管２８のいずれか一方の配管が閉塞していることを示すフラグを立てる。
【００４０】
ステップＳ３で給湯流量Ｑが第２流量値Ｑ２未満である場合、制御部３６は、ステップＳ５の動作を行う。ステップＳ５では、制御部３６は、ふろ往き配管２７およびふろ戻り配管２８の両方の配管が閉塞していることを示すフラグを立てる。
【００４１】
ステップＳ４またはステップＳ５の後、制御部３６は、ステップＳ６の動作を行う。ステップＳ６では、制御部３６は、ふろ循環ポンプ２９を動作させる前後における圧力センサ４６の検出値に基づいてふろ往き配管２７の内部およびふろ戻り配管２８の内部における浴槽水の循環有無の本判定を実施する。具体的には、以下の動作が行なわれる。
【００４２】
例えば、ふろ往き配管２７が閉塞した状態でふろ循環ポンプ２９が動作する場合、ふろ循環ポンプ２９の下流で流れが滞る。その結果、配管の内部の圧力が高まる。このため、圧力センサ４６の検出値は大きくなる。一方、ふろ戻り配管２８が閉塞した状態でふろ循環ポンプ２９が動作する場合、ふろ循環ポンプ２９の上流で流れが滞る。その結果、配管の内部の圧力が低下する。このため、圧力センサ４６の検出値は小さくなる。
【００４３】
そこで、制御部３６は、ふろ循環ポンプ２９を動作前後の圧力センサ４６の検出値の差ｐが５０００ｍｍＨ２Ｏよりも大きい場合または２０００ｍｍＨ２Ｏ未満である場合にふろ循環回路が閉塞していると判定する。
【００４４】
ステップＳ６でふろ循環回路が閉塞していない場合、制御部３６は、動作を終了する。ステップＳ６でふろ循環回路が閉塞している場合は、制御部３６は、ステップＳ７の動作を行う。ステップＳ７では、制御部３６は、ステップＳ４またはステップＳ５の判定結果に基づいて循環回路の閉塞状態を示す情報を外部に向けて報知部に報知させる。例えば、報知部は、循環回路の閉塞によるエラーを示す情報または循環回路の閉塞の可能性があることを示す情報を報知する。例えば、リモコン４４のディスプレイは、報知部として、当該情報を表示する。例えば、リモコン４４のアラームランプは、報知部として、当該情報に対応して点灯する。例えば、リモコン４４は、報知部として、当該情報を音声で出力する。
【００４５】
図４は実施の形態１における給湯装置の制御部の動作の第２例を説明するためのフローチャートである。図４は第２予備判定が実施される際のフローチャートである。ステップＳ８では、追い焚き運転中において、制御部３６は、ふろ往き温度センサ３７からふろ循環ポンプ２９の動作時のふろ往き温度Ｔｉを検出する。制御部３６は、ふろ戻り温度センサ３８からふろ循環ポンプ２９の動作時のふろ戻り温度Ｔｊを検出する。その後、制御部３６は、ステップＳ９の動作を行う。ステップＳ９では、制御部３６は、ふろ往き温度Ｔｉとふろ戻り温度Ｔｊとの差が第１温度値Ｔ１以上であるか否かを判定する。第１温度値Ｔ１は、予め設定される。例えば、ふろ往き配管２７およびふろ戻り配管２８に詰まりがなく、ふろ往き配管２７およびふろ戻り配管２８が閉塞していない場合、熱源ポンプ１２とふろ循環ポンプ２９は、ふろ往き温度Ｔｉとふろ戻り温度Ｔｊとの差が１０℃となるように制御される場合、第１温度値Ｔ１は、１５℃に設定される。
【００４６】
ステップＳ９でふろ往き温度Ｔｉとふろ戻り温度Ｔｊとの差が第１温度値Ｔ１以上である場合、制御部３６は、ふろ往き配管２７またはふろ戻り配管２８が部分的に閉塞していると判定する。その後、制御部３６は、ステップＳ１０の動作を行う。ステップＳ１０では、制御部３６は、ふろ往き配管２７またはふろ戻り配管２８が部分的に閉塞していることを示すフラグを立てる。
【００４７】
ステップＳ９でふろ往き温度Ｔｉとふろ戻り温度Ｔｊとの差が第１温度値Ｔ１未満である場合、制御部３６は、ステップＳ１１の動作を行う。ステップＳ１１では、制御部３６は、ふろ往き温度Ｔｉとふろ戻り温度Ｔｊとの差が第２温度値Ｔ２以下であるか否かを判定する。第２温度値Ｔ２は、予め設定される。第２流量値Ｑ２は、ふろ往き配管２７またはふろ戻り配管２８において詰まりが完全に発生しており、ふろ往き配管２７またはふろ戻り配管２８が完全に閉塞している場合にふろ往き温度Ｔｉとふろ戻り温度Ｔｊとの差が極端に小さくなることを考慮して第１温度値Ｔ１よりも小さい値に設定される。例えば、第２温度値Ｔ２は、５℃に設定される。
【００４８】
ステップＳ１１でふろ往き温度Ｔｉとふろ戻り温度Ｔｊとの差が第２温度値Ｔ２よりも大きい場合、制御部３６は、ふろ往き配管２７およびふろ戻り配管２８がいずれも閉塞していないと判定する。その後、制御部３６は、動作を終了する。ステップＳ１１でふろ往き温度Ｔｉとふろ戻り温度Ｔｊとの差が第２温度値Ｔ２以下である場合、制御部３６は、ふろ往き配管２７またはふろ戻り配管２８が完全に閉塞していると判定する。
【００４９】
その後、制御部３６は、ステップＳ１２の動作を行う。ステップＳ１２では、制御部３６は、ふろ往き配管２７またはふろ戻り配管２８が完全に閉塞していることを示すフラグを立てる。
【００５０】
ステップＳ１０またはステップＳ１２の後、制御部３６は、ステップＳ６以降の動作を行う。以降は図３と同様のため、説明を省略する。
【００５１】
図５は実施の形態１における給湯装置の制御部の動作の第３例を説明するためのフローチャートである。図５は第３予備判定が実施される際のフローチャートである。ステップＳ１５では、制御部３６は、回転数センサからふろ循環ポンプ２９の回転数Ｐを検出する。その後、制御部３６は、ステップＳ１６の動作を行う。ステップＳ１６では、制御部３６は、回転数Ｐが第１回転数Ｐ１以上であるか否かを判定する。第１回転数Ｐ１は、予め設定される。例えば、ふろ循環ポンプ２９の回転数は、浴槽３０の内部に水がある場合に４８００ｒｐｍとなるように制御される。第１回転数Ｐ１は、浴槽３０の内部に水がない場合にふろ循環ポンプ２９が空転することでふろ循環ポンプ２９の回転数が急上昇することを考慮して６０００ｒｐｍに設定される。
【００５２】
ステップＳ１６で回転数Ｐが第１回転数Ｐ１未満である場合、制御部３６は、浴槽３０の内部に水があると判定する。その後、制御部３６は、動作を終了する。ステップＳ１６で回転数Ｐが第１回転数Ｐ１以上である場合、制御部３６は、浴槽３０の内部に水がないと判定する。その後、制御部３６は、ステップＳ１７の動作を行う。ステップＳ１７では、制御部３６は、浴槽３０の内部に水がないことを示すフラグを立てる。
【００５３】
その後、制御部３６は、ステップＳ６の動作を行う。以降は図４、図５と同様のため、説明を省略する。
【００５４】
ステップＳ６でふろ循環回路が閉塞していない場合、制御部３６は、動作を終了する。ステップＳ６でふろ循環回路が閉塞している場合は、制御部３６は、ステップＳ１９の動作を行う。ステップＳ１９では、制御部３６は、ステップＳ１７の判定結果に基づいて浴槽３０の内部に水がないことを示す情報を外部に向けて報知部に報知させる。例えば、報知部は、浴槽３０の内部に水がないことによるエラーを示す情報または浴槽３０の内部に水がない可能性があることを示す情報を報知する。例えば、リモコン４４のディスプレイは、報知部として、当該情報を表示する。例えば、リモコン４４のアラームランプは、報知部として、当該情報に対応して点灯する。例えば、リモコン４４は、報知部として、当該情報を音声で出力する。
【００５５】
以上で説明した実施の形態１によれば、給湯装置３５は、給湯用流量センサ４５の検出値と予め設定された第１流量値Ｑ１との比較に基づいてふろ循環回路の内部における浴槽水の循環有無の予備判定を実施する。予備判定において浴槽水の循環があると判定された場合は、本判定は実施されない。このため、ふろ循環回路の内部において浴槽水の循環があることを短時間で判定することができる。
【００５６】
また、予備判定において、給湯用流量センサ４５の検出値が予め設定された第２流量値Ｑ２未満である場合、給湯装置３５は、ふろ往き配管２７とふろ戻り配管２８との両方の閉塞により浴槽水の循環がないと判定する。このため、浴槽水の循環がない理由をより正確に把握することができる。
【００５７】
また、予備判定において、給湯用流量センサ４５の検出値が予め設定された第１流量値Ｑ１未満かつ第２流量値Ｑ２以上である場合、給湯装置３５は、ふろ往き配管２７とふろ戻り配管２８とのうちの少なくとも一方の閉塞により浴槽水の循環がないと判定する。このため、浴槽水の循環がない理由をより正確に把握することができる。
【００５８】
また、給湯装置３５は、温度センサの検出値と第１温度値Ｔ１との比較に基づいてふろ循環回路の内部における浴槽水の循環有無を予備判定する。予備判定において浴槽水の循環があると判定された場合は、本判定は実施されない。このため、ふろ循環回路の内部において浴槽水の循環があることを短時間で判定することができる。
【００５９】
また、予備判定において、ふろ往き温度Ｔｉとふろ戻り温度Ｔｊとの差が第１温度値Ｔ１以上の場合、給湯装置３５は、ふろ循環回路の部分的な閉塞により浴槽水の循環がないと判定する。このため、浴槽水の循環がない理由をより正確に把握することができる。
【００６０】
また、給湯装置３５は、ふろ往き温度Ｔｉとふろ戻り温度Ｔｊとの差が第２温度値Ｔ２以下である場合、給湯装置３５は、ふろ循環回路の一部が完全な閉塞により浴槽水の循環がないと判定する。このため、浴槽水の循環がない理由をより正確に把握することができる。
【００６１】
また、給湯装置３５は、ふろ循環ポンプ２９の回転数センサの検出値と第１回転数Ｐ１との比較に基づいて浴槽３０の内部の水の有無を予備判定する。ふろ循環回路の内部における浴槽水の循環有無を予備判定する。予備判定において浴槽水の循環があると判定された場合は、本判定は実施されない。このため、ふろ循環回路の内部において浴槽水の循環があることを短時間で判定することができる。
【００６２】
また、給湯装置３５は、ふろ循環ポンプ２９の回転数センサの検出値が第１回転数Ｐ１以上である場合は、浴槽３０の内部に水がないことにより浴槽水の循環がないと判定する。このため、浴槽水の循環がない理由をより正確に把握することができる。
【００６３】
また、給湯装置３５は、ふろ給湯を行う機能を実施する際は給湯用流量センサ４５を使用する予備判定を実施し、ふろ用熱交換器２０を用いた熱交換を行う機能を実施する際は温度センサを使用する予備判定を実施し、浴槽３０の内部の水の有無を確認する機能を実施する際はふろ循環ポンプ２９の回転数センサを使用する予備判定を実施する。このため、給湯装置３５の動作状況に応じて適切な予備判定を選択することにより、ふろ循環回路の内部において浴槽水の循環があることを短時間で判定することができる。
【００６４】
また、給湯装置３５は、予備判定の結果を示す情報を外部に報知する。このため、給湯装置３５の故障の可能性を使用者に気付かせることができる。
【符号の説明】
【００６５】
１  圧縮機
３  水冷媒熱交換器
４  膨張弁
５  冷媒配管
６  空気熱交換器
７  ヒートポンプユニット
８  貯湯タンク
８ａ  水導入口
８ｂ  水導出口
８ｃ  温水導入口
８ｄ  温水導出口
９  給水管路
９ａ  第１給水配管
９ｂ  第２給水配管
９ｃ  第３給水配管
１０  水導出口配管
１１  三方弁
１２  熱源ポンプ
１３  送湯配管
１４  ＨＰ往き配管
１５  ＨＰ戻り配管
１６  第１バイパス配管
１７  第２バイパス配管
１８  四方弁
２０  ふろ用熱交換器
２０ａ  温水導入配管
２０ｂ  温水導出口配管
２１  給湯配管
２２  給湯用混合弁
２３  ふろ用混合弁
２４  第１給湯配管
２５  第２給湯配管
２６  ふろ用電磁弁
２７  ふろ往き配管
２８  ふろ戻り配管
２９  ふろ循環ポンプ
３０  浴槽
３１  減圧弁
３３  タンクユニット
３４  給湯栓
３５  給湯装置
３６  制御部
３７  ふろ往き温度センサ
３８  ふろ戻り温度センサ
４２  貯湯温度センサ
４３  貯湯温度センサ
４４  リモコン
４５  給湯用流量センサ
４６  圧力センサ
【図１】
2020091061.tif 000003
【図２】
2020091061.tif 000004
【図３】
2020091061.tif 000005
【図４】
2020091061.tif 000006
【図５】
2020091061.tif 000007